(57)【特許請求の範囲】
【請求項１】
車両の制動操作部材の操作量を検出する操作量センサと、
前記車両の前輪と一体となって回転する前輪回転部材に摩擦部材を押圧して、該前輪に前輪制動力を発生する前輪アクチュエータと、
前記車両の後輪と一体となって回転する後輪回転部材に摩擦部材を押圧して、該後輪に後輪制動力を発生する後輪アクチュエータと、
前記前輪アクチュエータの前輪出力を検出する前輪センサと、
前記後輪アクチュエータの後輪出力を検出する後輪センサと、
前記操作量、前記前輪出力、及び、前記後輪出力に基づいて、前記前輪アクチュエータ、及び、前記後輪アクチュエータを制御するコントローラと、
を備えた車両の制動制御装置において、
前記コントローラは、
前記操作量、及び、前記後輪出力のうちの少なくとも１つに基づいて、前記摩擦部材が前記後輪回転部材に長時間に亘って所定範囲内の状態で継続的に押圧される長期低負荷状態であるか、否か、を判定し、
前記長期低負荷状態であることが判定される場合には、前記長期低負荷状態であることが判定されない場合に比較して、前記車両に作用する総制動力に対する前記後輪制動力の配分比率を減少するよう構成された、車両の制動制御装置。
【請求項２】
請求項１に記載の車両の制動制御装置において、
前記コントローラは、
前記所定範囲内の状態の出現頻度を演算し、
前記出現頻度に基づいて、前記配分比率を減少するよう構成された、車両の制動制御装置。
【発明の詳細な説明】
【技術分野】
【０００１】
本発明は、車両の制動制御装置に関する。
【背景技術】
【０００２】
特許文献１には、「車両の制動装置の大型化をすることなく、高制動負荷時の制動性能の要求に対応すべく、制動力の配分が変更される制動力配分制御」について記載されている。具体的には、「制動実行処理の間隔及び回数に基づいて高制動負荷状態であるか否かを判定する判定手段と、高制動負荷状態であるとの判定が為されたときに車両の前後輪制動力配分を変更する配分とを含み、高制動負荷状態は、所定の制動力を超える制動力を要求する制動実行処理と所定の駆動力を超える駆動力を要求する駆動実行処理とを交互に実行する場合であって、制動実行処理が所定時間より短い制動実行間隔にて所定回数を超える回数実行されたことをもって検出され、前後輪制動力配分の変更は、前輪の制動力の低減と後輪の制動力の増大により為される」ことが記載されている。
【０００３】
特許文献１に記載される制動制御装置は、「後輪側の制動装置の熱的な容量には、前輪側に比して比較的余裕があると考えられる。従って、一般的な使用環境に比して制動負荷が高い場合には、一時的に、前輪制動装置の制動容量又は制動性能の不足を後輪制動装置により補うよう制動力の配分制御を実行することにより、制動装置の大型化をすることなく、高制動負荷時に要求される制動性能又は制動容量が実現可能となる」ことに因る。このため、特許文献１の制動制御装置では、具体的に、「急加速と急減速とが繰り返される走行パターンが実行されて制動負荷が高くなったと判定されるときには、まず、相対的に高い制動力にて作動されている前輪制動装置の制動負荷を軽減すべく、前後輪制動力配分を後輪側へ偏倚するよう変更して、前輪制動装置が過熱状態に陥ることの防止が図られ、しかる後、かかる配分の変更でも制動負荷の軽減が不十分なときには、変速機の変速段を下げて、制動装置に対する負荷の増大が抑制される」よう、制御される。
【０００４】
制動制御装置における熱的な観点において、急加速と急減速とが繰り返される走行パターンだけではなく、各種の制動操作での状況が考慮される必要がある。即ち、各種の制動操作状況において、前輪、及び、後輪の制動装置に求められるものが相反する場合がある。具体的には、高速走行からの急制動において短時間に強い制動力が発生される場合と、降坂路等で長時間に亘って比較的低い制動力が発生される場合である。短時間の強い制動操作には、前輪の制動装置に対して相対的に高い熱容量が要求される。一方、長時間の弱い制動操作には、後輪の制動装置に対して相対的に高い熱容量が要求される。制動装置の熱容量は、ブレーキディスクの厚みを増し、ブレーキキャリパを大型化すること、等によって増大され得る。しかし、これらの変更は、装置の小型・軽量化の観点では好ましくない。
【先行技術文献】
【特許文献】
【０００５】
【特許文献１】特開２０１１−１５６９８３号公報
【発明の概要】
【発明が解決しようとする課題】
【０００６】
本発明の目的は、少なくとも車両の前輪と後輪との間で制動力を独立に制御可能な制動制御装置において、各種の制動操作状況を考慮し、車輪周りの制動部材（ブレーキキャリパ、ブレーキディスク等）の諸元を熱的に適正化することで、制動装置全体で小型化され得るものを提供することである。
【課題を解決するための手段】
【０００７】
本発明に係る車両の制動制御装置は、車両の制動操作部材（ＢＰ）の操作量（Ｂｐａ）を検出する操作量センサ（ＢＰＡ）と、前記車両の前輪（ＷＨf*）と一体となって回転する前輪回転部材（ＫＴf*）に摩擦部材（ＭＳＢ）を押圧して、該前輪（ＷＨf*）に前輪制動力（Ｆｂf*）を発生する前輪アクチュエータ（ＣＡf*）と、前記車両の後輪（ＷＨr*）と一体となって回転する後輪回転部材（ＫＴr*）に摩擦部材（ＭＳＢ）を押圧して、該後輪（ＷＨr*）に後輪制動力（Ｆｂr*）を発生する後輪アクチュエータ（ＣＡr*）と、前記前輪アクチュエータ（ＣＡf*）の前輪出力（Ｐｃf*）を検出する前輪センサ（ＰＣf*）と、前記後輪アクチュエータ（ＣＡr*）の後輪出力（Ｐｃr*）を検出する後輪センサ（ＰＣr*）と、前記操作量（Ｂｐａ）、前記前輪出力（Ｐｃf*）、及び、前記後輪出力（Ｐｃr*）に基づいて、前記前輪アクチュエータ（ＣＡf*）、及び、前記後輪アクチュエータ（ＣＡr*）を制御するコントローラ（ＥＣＵ）と、を備える。
【０００８】
本発明に係る車両の制動制御装置では、前記コントローラ（ＥＣＵ）は、前記操作量（Ｂｐａ）、及び、前記後輪出力（Ｐｃr*）のうちの少なくとも１つに基づいて、前記摩擦部材（ＭＳＢ）が前記後輪回転部材（ＫＴr*）に長時間に亘って所定範囲（ｓｆｈ）内の状態で継続的に押圧される長期低負荷状態であるか、否か、を判定し、前記長期低負荷状態であることが判定される場合には、前記長期低負荷状態であることが判定されない場合に比較して、前記車両に作用する総制動力（Ｆｂf*＋Ｆｂr*）に対する前記後輪制動力（Ｆｂr*）の配分比率（Ｈｂｎ）を減少するよう構成されている。
【０００９】
また、本発明に係る車両の制動制御装置では、前記コントローラ（ＥＣＵ）は、前記所定範囲（ｓｆｈ）内の状態の出現頻度（Ｈｎｄ）を演算し、前記出現頻度（Ｈｎｄ）に基づいて、前記配分比率（Ｈｂｎ）を減少するよう構成されている。
【００１０】
上記構成によれば、高速走行からの急制動において短時間に強い制動力が付与される場合（短期高負荷の制動状態）には、予め設定された総制動力（Ｆｂf*＋Ｆｂr*）に対する後輪制動力Ｆｂr*の比率（後輪制動力配分比）ｈｂｏが採用される。例えば、初期値ｈｂｏとして、所謂、理想制動力配分に近似する特性が採用され得る。
【００１１】
さらに、制動操作量Ｂｐａ、及び、後輪出力（例えば、後輪ホイールシリンダの液圧）Ｐｃr*のうちの少なくとも１つに基づいて、摩擦部材ＭＳＢが後輪回転部材ＫＴr*に長時間に亘って所定範囲ｓｆｈ内の状態で継続的に押圧される長期低負荷状態であるか、否か、が判定される。長期低負荷状態が判定されない場合には、初期値ｈｂｏが採用される。一方、長期低負荷状態が判定される場合（即ち、降坂路等で長時間に亘って比較的低い制動力の発生が継続されている場合）には、比率Ｈｂｎが初期値ｈｂｏから減少するように修正される。比率Ｈｂｎの減少によって、前輪制動力Ｆｂf*が増加され、後輪制動力Ｆｂr*が減少される。
【００１２】
長時間に亘る、比較的弱い制動操作（長期低負荷の制動状態）では、後輪の制動装置に対して相対的に高い熱容量が要求される。本発明に係る制動制御装置では、後輪の制動力Ｆｂr*が弱められ、熱容量に余裕のある前輪制動装置による制動力Ｆｂf*が増加される。このため、各種の制動操作において、前輪、後輪の制動装置の熱容量が制動力配分制御によって適正化されるため、制動制御装置全体で、小型・軽量化が達成され得る。
【００１３】
加えて、短期高負荷の制動状態では、予め設定された前後制動力配分比（初期比率）ｈｂｏが常に採用されるため、車両の安定性が確保される。また、長期低負荷の制動状態は、標高が高い所から、徐々に坂道を降る状況で生じ易い。この状況では、車両重心は、僅かながら前輪側にシフトされる。このため、車両の総制動力に対する後輪制動力の比率Ｈｂｎが減少修正され、後輪の制動力Ｆｂr*が弱められ、前輪制動力Ｆｂf*が増加される。このため、坂路勾配に起因する車輪荷重の動的変動に対応した制動力配分が達成され得る。
【００１４】
さらに、下り勾配のつづら折れ（特に、ヘアピンカーブ）では、車両安定性が要求される。このような走行状態において、後輪配分比率Ｈｂｎが減少修正されるため、後輪横力が確保される。結果、車両の安定性が向上され得る。
【図面の簡単な説明】
【００１５】
【図１】本発明に係る制動制御装置の実施形態を示す全体構成図である。
【図２】圧力調整ユニットを説明するための部分断面図である。
【図３】電子制御ユニットでの処理を説明するための機能ブロック図である。
【図４】電気モータ、及び、その駆動回路を説明するための回路図である。
【図５】長期低負荷状態での第１処理例を説明するためのフロー図である。
【図６】長期低負荷状態での第２処理例を説明するためのフロー図である。
【発明を実施するための形態】
【００１６】
＜構成部材等の記号、及び、記号末尾の添字＞
本発明に係る車両の制動制御装置の実施形態について図面を参照して説明する。以下の説明において、「ＥＣＵ」等の如く、同一記号を付された構成部材、演算処理、信号、及び、値は、同一機能のものである。また、各種記号の末尾に付された添字（「fr」等）は、それが何れの車輪に関するかを示す包括記号である。具体的には、「fr」は右前輪、「fl」は左前輪、「rr」は右後輪、「rl」は左後輪を示す。例えば、各ホイールシリンダにおいて、右前輪ホイールシリンダＷＣfr、左前輪ホイールシリンダＷＣfl、右後輪ホイールシリンダＷＣrr、及び、左後輪ホイールシリンダＷＣrlと表記される。
【００１７】
また、各種記号の末尾に付された添字（「f*」又は「r*」）は、それが車両前後の何れの車輪（即ち、前輪、又は、後輪）に関するものかを示す包括記号である。具体的には、「f*」は前輪に係るもの、「r*」は後輪に係るものを示す。従って、添字「f*」は、「fr」、及び、「fl」の総称であり、添字「r*」は、「rr」、及び、「rl」の総称である。例えば、右前輪ホイールシリンダＷＣfr、及び、左前輪ホイールシリンダＷＣflが、前輪ホイールシリンダＷＣf*と表記される。また、右後輪ホイールシリンダＷＣrr、及び、左後輪ホイールシリンダＷＣrlが、後輪ホイールシリンダＷＣr*と表される。
【００１８】
＜本発明に係る制動制御装置の実施形態＞
図１の全体構成図を参照して、本発明に係る制動制御装置の実施形態を備えた車両について説明する。車両には、制動操作部材ＢＰ、操作量取得手段ＢＰＡ、電子制御ユニットＥＣＵ、タンデムマスタシリンダ（単に、マスタシリンダともいう）ＭＣＬ、マスタシリンダ遮断弁ＶＭf*、ＶＭr*（単に、「ＶＭ」とも表記）、ストロークシミュレータ（単に、シミュレータともいう）ＳＳＭ、シミュレータ遮断弁ＶＳＭ、マスタシリンダ流体路ＨＭf*、ＨＭr*（単に、「ＨＭ」とも表記）、ホイールシリンダ流体路ＨＷf*、ＨＷr*（単に、「ＨＷ」とも表記）、シミュレータ流体路ＨＳＭ、及び、圧力調整ユニットＣＡf*、ＣＡr*（単に、「ＣＡ」とも表記）が備えられる。
【００１９】
さらに、車両の各々の車輪ＷＨfr、ＷＨfl、ＷＨrr、ＷＨrl（単に、「ＷＨ」とも表記）には、ブレーキキャリパＣＰfr、ＣＰfl、ＣＰrr、ＣＰrl（単に、キャリパとも称呼され、「ＣＰ」とも表記）、ホイールシリンダＷＣfr、ＷＣfl、ＷＣrr、ＷＣrl（単に、「ＷＣ」とも表記）、及び、回転部材ＫＴfr、ＫＴfl、ＫＴrr、ＫＴrl（単に、「ＫＴ」とも表記）が備えられる。なお、以下の説明において、流体路（ＨＭf*等）、及び、流体室（Ｒｍ１等）は、液密状態にされている。
【００２０】
制動操作部材（例えば、ブレーキペダル）ＢＰは、運転者が車両を減速するために操作する部材である。制動操作部材ＢＰが操作されることによって、車輪ＷＨの制動トルクが調整され、車輪ＷＨに制動力が発生される。具体的には、車両の車輪ＷＨには、回転部材（例えば、ブレーキディスク）ＫＴが固定される。回転部材ＫＴを挟み込むようにキャリパＣＰが配置される。そして、キャリパＣＰには、ホイールシリンダＷＣが設けられている。ホイールシリンダＷＣ内の制動液の圧力（液圧）が増加されることによって、摩擦部材（例えば、ブレーキパッド）ＭＳＢが、回転部材ＫＴに押し付けられる。回転部材ＫＴと車輪ＷＨとは、一体となって回転するよう固定されているため、このときに生じる摩擦力によって、車輪ＷＨに制動トルク（制動力）が発生される。
【００２１】
操作量取得手段（操作量センサ）ＢＰＡは、制動操作部材ＢＰに設けられる。操作量取得手段ＢＰＡによって、運転者による制動操作部材ＢＰの操作量（制動操作量）Ｂｐａが取得（検出）される。具体的には、操作量取得手段ＢＰＡとして、マスタシリンダＭＣＬの圧力を検出する液圧センサ、制動操作部材ＢＰの操作変位を検出する操作変位センサ、及び、制動操作部材ＢＰの操作力を検出する操作力センサのうちの少なくとも１つが採用される。即ち、操作量取得手段ＢＰＡは、マスタシリンダ液圧センサ、操作変位センサ、及び、操作力センサについての総称である。したがって、制動操作量Ｂｐａは、マスタシリンダＭＣＬの液圧、制動操作部材ＢＰの操作変位、及び、制動操作部材ＢＰの操作力のうちの少なくとも１つに基づいて決定される。操作量Ｂｐａは、電子制御ユニット（コントローラともいう）ＥＣＵに入力される。
【００２２】
電子制御ユニット（コントローラ）ＥＣＵは、制動操作量Ｂｐａに基づいて、前輪、後輪調圧ユニットＣＡf*、ＣＡr*（前輪、後輪アクチュエータに相当し、単に、「ＣＡ」とも表記）の電気モータＭＴf*、ＭＴr*（単に、「ＭＴ」とも表記）、シミュレータ遮断弁ＶＳＭ、及び、マスタシリンダ遮断弁ＶＭf*、ＶＭr*（単に、「ＶＭ」とも表記）を制御する。具体的には、コントローラＥＣＵのマイクロプロセッサには、電気モータＭＴ、シミュレータ遮断弁ＶＳＭ、マスタシリンダ遮断弁ＶＭを制御するための制御アルゴリズムが、プログラムされていて、これらを制御するための信号が演算される。
【００２３】
具体的には、コントローラＥＣＵは、操作量Ｂｐａが所定値（遊び相当値）ｂｐ０以上になった場合に、シミュレータ遮断弁ＶＳＭを開位置にする駆動信号Ｖｓｍを出力するとともに、マスタシリンダ遮断弁ＶＭ（ＶＭf*、ＶＭr*の総称）を閉位置にする駆動信号Ｖｍf*、Ｖｍr*（単に、「Ｖｍ」とも表記）を出力する。結果、マスタシリンダＭＣＬはシミュレータＳＳＭに連通状態にされ、調圧ユニットＣＡの制御シリンダＳＣf*、ＳＣr*（単に、「ＳＣ」とも表記）はホイールシリンダＷＣと連通状態にされる。従って、ホイールシリンダＷＣ内の液圧は、調圧ユニットＣＡ（ＣＡf*、ＣＡr*の総称）によって制御される。
【００２４】
マスタシリンダＭＣＬは、制動操作部材ＢＰと、ピストンロッドを介して、機械接続されている。マスタシリンダＭＣＬによって、制動操作部材ＢＰの操作力（ブレーキペダル踏力）が液圧に変換される。マスタシリンダＭＣＬには、マスタシリンダ流体路ＨＭf*、ＨＭr*（単に、「ＨＭ」とも表記）が流体接続される。制動操作部材ＢＰが操作されると、制動液（ブレーキフルイド）は、マスタシリンダＭＣＬからマスタシリンダ流体路ＨＭに排出（圧送）される。ここで、マスタシリンダ流体路ＨＭ（ＨＭf*、ＨＭr*の総称）は、マスタシリンダＭＣＬから、マスタシリンダ遮断弁ＶＭに至るまでの流体路（例えば、制動配管）である。
【００２５】
≪２系統の流体路（前後配管の構成）≫
液圧回路を参照して、２系統の流体路について説明する。マスタシリンダＭＣＬと４つのホイールシリンダＷＣとの間で制動液が移動される経路（流体路）は、２つの系統で構成される。一方の系統は「前輪系統」であり、マスタシリンダＭＣＬの第１マスタシリンダ室（第１加圧室ともいう）Ｒｍ１と、前輪ホイールシリンダＷＣf*（ＷＣfr、ＷＣflの総称）とが流体接続される。他方の系統は「後輪系統」であり、マスタシリンダＭＣＬの第２マスタシリンダ室（第２加圧室ともいう）Ｒｍ２と、後輪ホイールシリンダＷＣr*（ＷＣrr、ＷＣrlの総称）とが流体接続される。液圧回路として、所謂、前後配管の構成が採用される。前輪に係る構成と後輪に係る構成とは、基本的には同一である。このため、前輪に係る流体路Ｈf*の構成について説明する。
【００２６】
マスタシリンダＭＣＬの第１加圧室Ｒｍ１と前輪ホイールシリンダＷＣf*とを接続する前輪流体路Ｈf*には、前輪用の圧力調整ユニット（調圧ユニットともいう）ＣＡf*が設けられる。即ち、調圧ユニットＣＡf*が前輪流体路Ｈf*の途中に介装される。ここで、前輪流体路Ｈf*の第１加圧室Ｒｍ１から前輪マスタシリンダ遮断弁ＶＭf*までが前輪マスタシリンダ流体路ＨＭf*であり、前輪流体路Ｈf*の前輪マスタシリンダ遮断弁ＶＭf*からホイールシリンダＷＣf*までが前輪ホイールシリンダ流体路ＨＷf*である。
【００２７】
前輪調圧ユニットＣＡf*（前輪アクチュエータに相当）は、前輪制御シリンダＳＣf*、及び、前輪電気モータＭＴf*にて構成される。運転者による制動操作が行われた場合、及び、自動加圧が必要な場合、マスタシリンダＭＣＬとホイールシリンダＷＣf*との流体接続がＶＭf*によって遮断（非連通状態）される。そして、調圧ユニットＣＡf*によって、ホイールシリンダＷＣf*の液圧が調整（増加、保持、又は、減少）される。前輪調圧ユニットＣＡf*によって調整された液圧（実際の制御液圧）Ｐｃf*が、前輪制御液圧センサＰＣf*によって取得（検出）される。
【００２８】
前輪流体路Ｈf*は、マスタシリンダＭＣＬからマスタシリンダ遮断弁ＶＭf*までのマスタシリンダ流体路（制動配管）ＨＭf*と、マスタシリンダ遮断弁ＶＭf*からホイールシリンダＷＣf*までのホイールシリンダ流体路（制動配管）ＨＷf*にて形成される。加圧室Ｒｍ１の液圧（マスタシリンダ液圧）Ｐｍ１を検出するよう、マスタシリンダ液圧センサＰＭ１は、マスタシリンダ流体路ＨＭf*に設けられる。
【００２９】
前輪ホイールシリンダ流体路ＨＷf*には、前輪液圧ユニットＨＵf*が介装される。さらに、ホイールシリンダ流体路ＨＷf*には、調圧ユニットＣＡf*と液圧ユニットＨＵf*との間に、調圧ユニットＣＡf*（特に、制御シリンダＳＣf*内）の制御液圧Ｐｃf*を検出するよう、前輪用の制御液圧センサＰＣf*が設けられる。
【００３０】
前輪用の液圧ユニット（モジュレータともいう）ＨＵf*は、増圧弁と減圧弁とで構成され、アンチスキッド制御、車両安定化制御等の車輪スリップ制御の実行において、前輪ホイールシリンダＷＣf*の液圧を夫々、個別に独立して制御する。
【００３１】
ストロークシミュレータ（単に、シミュレータともいう）ＳＳＭが、制動操作部材ＢＰに操作力を発生させるために設けられる。マスタシリンダＭＣＬ内の液圧室とシミュレータＳＳＭとの間には、シミュレータ遮断弁（単に、遮断弁ともいう）ＶＳＭが設けられる。遮断弁ＶＳＭは、開位置と閉位置とを有する２位置の電磁弁である。遮断弁ＶＳＭが開位置にある場合には、マスタシリンダＭＣＬとシミュレータＳＳＭとは連通状態となり、遮断弁ＶＳＭが閉位置にある場合には、マスタシリンダＭＣＬとシミュレータＳＳＭとは遮断状態（非連通状態）となる。遮断弁ＶＳＭは、コントローラＥＣＵからの駆動信号Ｖｓｍによって制御される。遮断弁ＶＳＭとして、常閉型電磁弁（ＮＣ弁）が採用され得る。
【００３２】
シミュレータＳＳＭの内部には、ピストン、及び、弾性体（例えば、圧縮ばね）が備えられる。このため、制動操作部材ＢＰが操作される場合には、マスタシリンダＭＣＬ（加圧室Ｒｍ１）から制動液がシミュレータＳＳＭに移動され、流入する制動液によりピストンが押される。ピストンは、弾性体によって制動液の流入を阻止する方向に力が加えられる。この弾性体によって、制動操作部材ＢＰが操作される場合の操作力（例えば、ブレーキペダル踏力）が形成される。
【００３３】
次に、後輪流体路Ｈr*に係る構成について、簡単に説明する。上述したように、前輪流体路Ｈf*に係る構成と後輪流体路Ｈr*に係る構成とは、基本的には同じである。従って、「Ｒｍ１」が「Ｒｍ２」に、「ＷＨf*」が「ＷＨr*」に、「ＨＭf*」が「ＨＭr*」に、「ＨＷf*」が「ＨＷr*」に、「ＨＵf*」が「ＨＵr*」に、「ＣＡf*（前輪アクチュエータ）」が「ＣＡr*（後輪アクチュエータ）」に、「ＰＣf*（前輪センサ）」が「ＰＣr*（後輪センサ）」に、夫々、対応している。即ち、前輪用の流体路Ｈf*に係る構成要素の説明において、「前輪」を「後輪」に、記号末尾添字の「f*」を「r*」に置換したものが、後輪用の流体路Ｈr*に係る構成要素の説明に相当する。なお、後輪流体路Ｈr*に係る構成では、シミュレータ、及び、マスタシリンダ液圧センサは省略されている。しかしながら、前輪流体路Ｈf*と同様に、後輪流体路Ｈr*においても、これらが設けられてもよい。以上、流体回路について説明した。
【００３４】
ブレーキキャリパ（単に、キャリパともいう）ＣＰは、車輪ＷＨに設けられ、車輪ＷＨに制動トルクを与え、制動力を発生させる。キャリパＣＰとして、浮動型キャリパが採用され得る。キャリパＣＰは、２つの摩擦部材（例えば、ブレーキパッド）ＭＳＢを介して、回転部材（例えば、ブレーキディスク）ＫＴを挟み込むように構成される。キャリパＣＰ内にて、ホイールシリンダＷＣが設けられる。ホイールシリンダＷＣ内の液圧が調整されることによって、ホイールシリンダＷＣ内のピストンが回転部材ＫＴに対して移動（前進、又は、後退）される。このピストンの移動によって、摩擦部材ＭＳＢが回転部材ＫＴに押し付けられて摩擦力が発生する。
【００３５】
図１では、ディスク型制動装置（ディスクブレーキ）の構成が例示されている。この場合、摩擦部材ＭＳＢはブレーキパッドであり、回転部材ＫＴはブレーキディスクである。ディスク型制動装置に代えて、ドラム型制動装置（ドラムブレーキ）が採用され得る。ドラムブレーキの場合、キャリパＣＰに代えて、ブレーキドラムが採用される。また、摩擦部材ＭＳＢはブレーキシューであり、回転部材ＫＴはブレーキドラムである。
【００３６】
＜調圧ユニット（アクチュエータ）ＣＡ＞
図２の部分断面図を参照して、前輪用の調圧ユニットＣＡf*（前輪アクチュエータに相当）について説明する。後輪用の調圧ユニットＣＡr*（後輪アクチュエータに相当）は、前輪調圧ユニットＣＡf*と同じ構成であるため、説明は省略する。なお、添字「f*」が、添字「r*」に置き換えられたものが、後輪用の調圧ユニットＣＡr*の説明に相当する。
【００３７】
前輪調圧ユニットＣＡf*は、電磁弁ＶＭf*とホイールシリンダＷＣf*との間の流体路（例えば、制動配管）ＨＷf*に接続され、電気モータＭＴf*によって駆動される。調圧ユニットＣＡf*は、減速機ＧＳＫ、回転・直動変換機構（ねじ機構）ＮＪＫ、押圧部材ＰＳＨ、制御ピストンＳＰＳ、制御シリンダＳＣf*、及び、戻しばねＳＰＲにて構成される。
【００３８】
減速機ＧＳＫは、小径歯車ＳＫＨ、及び、大径歯車ＤＫＨにて構成される。減速機ＧＳＫによって、電気モータＭＴf*の回転動力が減速されて、ねじ機構ＮＪＫに伝達される。具体的には、小径歯車ＳＫＨが、電気モータＭＴf*の出力軸に固定される。大径歯車ＤＫＨが、小径歯車ＳＫＨとかみ合わされ、大径歯車ＤＫＨの回転軸がねじ機構ＮＪＫのボルト部材ＢＬＴの回転軸と一致するように、大径歯車ＤＫＨとボルト部材ＢＬＴとが固定される。
【００３９】
ねじ機構ＮＪＫによって、減速機ＧＳＫの回転動力が、制御ピストンＳＰＳの直線動力に変換される。具体的には、ねじ機構ＮＪＫのボルト部材ＢＬＴが大径歯車ＤＫＨと同軸に固定されており、ボルト部材ＢＬＴと螺合するナット部材ＮＵＴが移動される。ナット部材ＮＵＴには、押圧部材ＰＳＨが固定される。押圧部材ＰＳＨが、制御ピストンＳＰＳを押すことによって、制御ピストンＳＰＳの直線動力（前進方向、又は、後退方向の動力）に変換される。ここで、ナット部材ＮＵＴの回転運動は、キー部材ＫＹＢによって拘束されるため、ナット部材ＮＵＴは大径歯車ＤＫＨの回転軸（ＳＰＳの中心軸）Ｊｓｃの方向に移動され、制御ピストンＳＰＳを押圧する。
【００４０】
ねじ機構ＮＪＫとして、台形ねじ等の「滑りねじ」が採用される。また、ねじ機構ＮＪＫとして、ボールねじ等の「転がりねじ」が採用され得る。
【００４１】
制御ピストンＳＰＳは、制御シリンダＳＣf*の円筒孔に挿入され、ピストンとシリンダとの組み合わせが形成されている。制御ピストンＳＰＳの外周部には、シール部材ＰＳＬが設けられる。このシール部材ＰＳＬによって、制御ピストンＳＰＳの外周（外壁）と制御シリンダＳＣf*の内孔（内壁）との間が封止される。そして、制御シリンダＳＣf*と制御ピストンＳＰＳとによって区画される調圧室Ｒｃａが形成される。
【００４２】
制御シリンダＳＣf*内の調圧室Ｒｃａは、調圧孔Ａｓｃを介して、流体路（制動配管）ＨＷf*に接続されている。制御ピストンＳＰＳが中心軸（制御シリンダ内孔の中心軸）Ｊｓｃの方向に移動（前進、又は、後退）されることによって、調圧室Ｒｃａの体積が変化する。このとき、駆動信号Ｖｍf*によって、電磁弁ＶＭf*は閉位置にされている。従って、制動液は、マスタシリンダＭＣＬ（加圧室Ｒｍ１）の方向には移動されず、ホイールシリンダＷＣf*に向けて移動される。
【００４３】
電気モータＭＴf*が正転方向に回転駆動されると、調圧室Ｒｃａの体積が減少するように制御ピストンＳＰＳが中心軸Ｊｓｃの方向に前進する。従って、制動液が制御シリンダＳＣf*からホイールシリンダＷＣf*へ押し出される。この制動液の移動によって、回転部材ＫＴf*に対する摩擦部材ＭＳＢの押圧力が増加され、車輪ＷＨf*の制動トルクが上昇する。
【００４４】
逆に、電気モータＭＴf*が逆転方向に回転駆動されると、調圧室Ｒｃａの体積が増加するように制御ピストンＳＰＳが後退方向に移動する。従って、制動液がホイールシリンダＷＣf*から制御シリンダＳＣf*に向けて戻される。この制動液の移動のため、回転部材ＫＴf*に対する摩擦部材ＭＳＢの押圧力が減ぜられ、車輪ＷＨf*の制動トルクが減少する。
【００４５】
調圧室Ｒｃａ内の液圧Ｐｃf*（前輪出力）を検出するよう、制御液圧センサＰＣf*（前輪センサ）が設けられる。制御液圧センサＰＣf*の検出結果である、実際の制御液圧Ｐｃf*は、コントローラＥＣＵに入力される。また、液圧ユニットＨＵf*が、ホイールシリンダ流体路ＨＷf*に介装される。液圧ユニットＨＵf*は、増圧弁と減圧弁とで構成され、車輪スリップ制御（アンチスキッド制御等）の実行が必要な際には、前輪ホイールシリンダＷＣf*の液圧を独立制御する。
【００４６】
調圧ユニットＣＡf*には、戻しばね（弾性体）ＳＰＲが設けられる。戻しばねＳＰＲによって、電気モータＭＴf*への通電が停止された場合に、制御ピストンＳＰＳは、ストッパＳｔｐに押し付けられる。制御ピストンＳＰＳがストッパＳｔｐに当接する位置が、初期位置（制動液圧のゼロに対応する位置）である。
【００４７】
＜電子制御ユニット（コントローラ）での処理＞
図３の機能ブロック図を参照して、コントローラ（電子制御ユニット）ＥＣＵでの処理について説明する。ここでは、電気モータＭＴf*、ＭＴr*として、ブラシレスモータが採用される例について説明する。
【００４８】
他の部分の説明と同様に、「ＭＣＬ」等の如く、同一記号を付された部材（構成要素）等は、同一の機能を有する。加えて、各構成要素の記号末尾に付される添字は、４輪のうちで何れの車輪に対応するかを示す。添字は、「fr」が「右前輪」、「fl」が「左前輪」、「rr」が「右後輪」、「rl」が「左後輪」、に対応するものであることを、夫々、表現している。また、各種記号の末尾に付された添字（「f*」又は「r*」）は、それが車両前後の何れの車輪（即ち、前輪、又は、後輪）に関するものかを表す。具体的には、「f*」は前輪に係るもの、「r*」は後輪に係るものを示す。従って、添字「f*」は、「fr」、及び、「fl」の総称であり、添字「r*」は、「rr」、及び、「rl」の総称である。
【００４９】
コントローラＥＣＵによって、操作量Ｂｐａに基づいて、電気モータＭＴ（ＭＴf*、ＭＴr*の総称）の出力が制御される。コントローラＥＣＵは、目標液圧演算ブロックＰＣＴ、長期低負荷状態判定ブロックＣＨＫ、指示通電量演算ブロックＩＳＪ、液圧フィードバック制御ブロックＰＦＢ、目標通電量演算ブロックＩＭＴ、及び、駆動回路ＤＲＶにて構成される。
【００５０】
目標液圧演算ブロックＰＣＴでは、制動操作量Ｂｐａに基づいて、前輪、後輪目標液圧Ｐｔf*、Ｐｔr*（単に、「Ｐｔ」とも表記）が演算される。ここで、目標液圧Ｐｔは、調圧ユニットＣＡによって発生される制動液圧の目標値である。目標液圧Ｐｔを演算するための演算特性（演算マップ）には、長期低負荷状態判定ブロックＣＨＫの結果（後輪配分比率）Ｈｂｎが反映される。
【００５１】
長期低負荷状態判定ブロックＣＨＫでは、制動操作量Ｂｐａに基づいて、制動力配分における後輪の比率Ｈｂｎが決定される。制動力配分とは、車両の全車軸の制動力総和に対する各車軸の制動力を比率で表した値である。従って、後輪配分比率Ｈｂｎは、車両全体に作用する総制動力（前輪制動力Ｆｂf*と後輪制動力Ｆｂr*との和）に対する後輪制動力Ｆｂr*の比率である。例えば、「Ｈｂｎ＝Ｆｂr*／（Ｆｂf*＋Ｆｂr*）＝０．４」というように表される。
【００５２】
後輪配分比率Ｈｂｎは、前輪制動力Ｆｂf*の増加に従って、その値が減少するように設定され得る。即ち、前輪制動力Ｆｂf*をＸ軸とし、後輪制動力Ｆｂr*をＹ軸としたときに、後輪配分比率Ｈｂｎの変化特性が「上に凸」の特性として設定される。これは、車両の減速に起因して、前輪の垂直力（荷重）が増加し、後輪の垂直力が減少することに因る。このため、実施形態の説明では、後輪配分比率Ｈｂｎの大小関係を論ずる場合には、車両が所定減速度にある状況が規定される。例えば、車両減速度が０．５Ｇである状況が採用され得る。この場合、総制動力によって車両が０．５Ｇで減速されている状況において、比率Ｈｂｎは総制動力に対する後輪制動力の比率である。従って、後輪配分比率Ｈｂｎが減少されることは、前輪制動力の配分比率が増加されることと同じ意味である。
【００５３】
長期低負荷状態判定ブロックＣＨＫでは、先ず、制動操作量Ｂｐａ等に基づいて、「長期低負荷状態であるか、否か」が判定される。ここで、「長期低負荷状態」は、摩擦部材ＭＳＢが後輪回転部材ＫＴr*に長時間に亘って所定範囲ｓｆｈ内の状態（即ち、車輪の最大制動力を発生する負荷状態ではなく、相対的に低い負荷状態）で継続的に押圧される、キャリパＣＰ等の熱的な負荷状態である。上記判定結果に基づいて、後輪配分比率Ｈｂｎが決定される。
【００５４】
長期低負荷状態であることが判定される場合には、長期低負荷状態であることが判定されない場合に比較して、後輪配分比率Ｈｂｎが減少されるよう、目標液圧演算ブロックＰＣＴに指示される。例えば、長期低負荷状態判定ブロックＣＨＫからは、長期低負荷状態であることが判定されない場合には、後輪配分比率Ｈｂｎとして、目標液圧演算ブロックＰＣＴにて演算特性ＣＰｆｏ、ＣＰｒｏの採用を指示する信号が出力される。そして、長期低負荷状態であることが判定される場合には、比率Ｈｂｎとして、目標液圧演算ブロックＰＣＴにて演算特性ＣＰｆｃ、ＣＰｒｃの採用を指示する信号が出力される。ここで、演算特性ＣＰｆｃ、ＣＰｒｃは、演算特性ＣＰｆｏ、ＣＰｒｏに比較して、後輪配分比率Ｈｂｎが減少された特性である。
【００５５】
長期低負荷状態判定ブロックＣＨＫにて長期低負荷状態であることが判定されない場合には、目標液圧演算ブロックＰＣＴでは、目標液圧用の演算特性ＣＰｆｏ、ＣＰｒｏ（実線の特性）によって、制動操作量Ｂｐａが「０（ゼロ）」（制動操作が行われていない場合に対応）以上から所定値ｂｐ０未満の範囲では、目標液圧Ｐｔ（Ｐｔf*、Ｐｔr*の総称）が「０」に演算される。また、操作量Ｂｐａが所定値ｂｐ０以上では、操作量Ｂｐａの増加にしたがって、目標液圧Ｐｔが「０」から単調増加するように演算される。ここで、所定値ｂｐ０は、制動操作部材ＢＰの「遊び」に相当する値（遊び相当値）である。
【００５６】
長期低負荷状態判定ブロックＣＨＫにて長期低負荷状態であることが判定された場合には、目標液圧演算ブロックＰＣＴでは、目標液圧用の演算特性ＣＰｆｃ、ＣＰｒｃ（破線の特性）によって、前輪、後輪目標液圧Ｐｔf*、Ｐｔr*が決定される。特性ＣＰｆｃでは、特性ＣＰｆｏに比較して、同一の操作量Ｂｐａに対して、前輪目標液圧Ｐｔf*が大きく演算される。逆に、特性ＣＰｒｃでは、特性ＣＰｒｏに比較して、同一の操作量Ｂｐａに対して、後輪目標液圧Ｐｔr*が小さく演算される。従って、特性ＣＰｆｃ、ＣＰｒｃに基づいて演算された結果（液圧目標値）Ｐｔでは、特性ＣＰｆｏ、ＣＰｒｏによる演算結果Ｐｔよりも、後輪配分比率Ｈｂｎが小さくなる。ここで、特性ＣＰｆｃ、ＣＰｒｃに基づく演算結果Ｐｔであっても、特性ＣＰｆｏ、ＣＰｒｏに基づく演算結果Ｐｔであっても、操作量Ｂｐａが同じであれば、車両としての総制動力（結果、車両の減速度）は同じである。
【００５７】
演算特性ＣＰｆｃ、ＣＰｒｃの場合も、演算特性ＣＰｆｏ、ＣＰｒｏと同様に、制動操作量Ｂｐａが「０（ゼロ）」以上から所定値ｂｐ０（遊び相当値）未満の範囲では、目標液圧Ｐｔが「０」に演算され、操作量Ｂｐａが所定値ｂｐ０以上では、操作量Ｂｐａの増加にしたがって、目標液圧Ｐｔが「０」から単調増加するように演算される。
【００５８】
長期低負荷状態判定ブロックＣＨＫでは、操作量Ｂｐａに代えて、検出結果Ｐｃr*（後輪出力に相当）に基づいて、「長期低負荷状態であるか、否か」が判定され、比率Ｈｂｎが決定され得る。また、目標値Ｐｔr*に基づいて、判定が行われ、比率Ｈｂｎが演算され得る。目標液圧Ｐｔr*は、操作量Ｂｐａに基づいて演算される。従って、長期低負荷状態判定ブロックＣＨＫでは、制動操作量Ｂｐａ、及び、後輪調圧ユニットＣＡr*（後輪アクチュエータに相当）の出力Ｐｃr*（後輪出力に相当）のうちの少なくとも１つに基づいて、摩擦部材ＭＳＢが後輪回転部材ＫＴr*に長時間に亘って所定範囲ｓｆｈ内の押圧状態が継続される「長期低負荷状態」であるか、否か、が判定される。この判定結果に基づいて、比率Ｈｂｎが決定され得る。
【００５９】
なお、ホイールシリンダ液圧と車輪の制動力との関係は、摩擦部材ＭＳＢと回転部材ＫＴとの摩擦係数、ホイールシリンダＷＣの受圧面積、摩擦部材ＭＳＢと回転部材ＫＴとの位置関係における有効制動半径（ＭＳＢがＫＴを押圧する位置）、及び、車輪（タイヤ）の半径に基づいて、一対一に対応付けられる。換言すれば、制動装置、及び、車輪の諸元に基づいて、ホイールシリンダ液圧から、車輪が発生している制動力が換算され得る。
【００６０】
指示通電量演算ブロックＩＳＪでは、目標液圧Ｐｔ（即ち、Ｐｔf*、Ｐｔr*）、及び、予め設定された演算特性（演算マップ）ＣＩｓａ、ＣＩｓｂに基づいて、調圧ユニットＣＡを駆動する電気モータＭＴの前輪、後輪指示通電量Ｉｓf*、Ｉｓr*（単に、「Ｉｓ」とも表記）が演算される。指示通電量Ｉｓは、電気モータＭＴを制御するための通電量の目標値である。指示通電量用の演算マップは、動力伝達機構（ＧＳＫ、ＮＪＫ等）によるヒステリシスの影響を考慮して、２つの特性ＣＩｓａ、ＣＩｓｂで構成されている。
【００６１】
ここで、「通電量」とは、電気モータＭＴの出力トルクを制御するための状態量（状態変数）である。電気モータＭＴは電流に概ね比例するトルクを出力するため、通電量の目標値（目標通電量）として電気モータＭＴの電流目標値が用いられ得る。また、電気モータＭＴへの供給電圧を増加すれば、結果として電流が増加されるため、目標通電量として供給電圧値が用いられ得る。さらに、パルス幅変調におけるデューティ比によって供給電圧値が調整され得るため、このデューティ比（一周期における通電時間の割合）が通電量として用いられ得る。
【００６２】
液圧フィードバック制御ブロックＰＦＢでは、前輪、後輪において、液圧の目標値（目標液圧）Ｐｔf*、Ｐｔr*、及び、液圧の検出値（実液圧）Ｐｃf*、Ｐｃr*（単に、「Ｐｃ」とも表記）を制御の状態変数として、これらに基づいて、電気モータＭＴf*、ＭＴr*の補償通電量Ｉｆf*、Ｉｆr*（単に、「Ｉｆ」とも表記）が演算される。指示通電量Ｉｓに基づく制御だけでは、液圧誤差が発生するため、液圧フィードバック制御ブロックＰＦＢでは、この誤差を補償することが行われる。液圧フィードバック制御ブロックＰＦＢは、比較演算、及び、液圧補償通電量演算ブロックＩＰＦにて構成される。
【００６３】
比較演算によって、液圧の目標値Ｐｔと検出値Ｐｃとが比較される。ここで、液圧の実際値Ｐｃf*（前輪出力に相当）、Ｐｃr*（後輪出力に相当）は、制御液圧センサＰＣf*（前輪センサ）、ＰＣr*（後輪センサ）によって取得（検出）される液圧の検出値（吐出液圧）である。ここで、前輪、後輪制御液圧センサＰＣf*、ＰＣr*は、単に、「ＰＣ」とも表記される。比較演算では、目標液圧Ｐｔと、制御液圧Ｐｃとの偏差（液圧偏差）ｅＰf*、ｅＰr*（単に、「ｅＰ」とも表記）が演算される。液圧偏差ｅＰ（制御変数）は、液圧補償通電量演算ブロックＩＰＦに入力される。
【００６４】
液圧補償通電量演算ブロックＩＰＦには、比例要素ブロック、微分要素ブロック、及び、積分要素ブロックが含まれ、所謂、ＰＩＤ制御が行われる。比例要素ブロックでは、液圧偏差ｅＰに比例ゲインＫｐが乗算されて、液圧偏差ｅＰの比例要素が演算される。微分要素ブロックでは、液圧偏差ｅＰが微分されて、これに微分ゲインＫｄが乗算されて、液圧偏差ｅＰの微分要素が演算される。積分要素ブロックでは、液圧偏差ｅＰが積分されて、これに積分ゲインＫｉが乗算されて、液圧偏差ｅＰの積分要素が演算される。そして、比例要素、微分要素、及び、積分要素が、加算されることによって、前輪、後輪液圧補償通電量Ｉｆf*、Ｉｆr*（単に、「Ｉｆ」とも表記）が演算される。即ち、液圧補償通電量演算ブロックＩＰＦでは、目標液圧Ｐｔと制御液圧Ｐｃとの比較結果ｅＰに基づいて、実際の制御液圧（検出値）Ｐｃが液圧の目標液圧（目標値）Ｐｔに一致するよう（即ち、偏差ｅＰが「０（ゼロ）」に近づくよう）、液圧に基づくフィードバック制御が実行される。
【００６５】
目標通電量演算ブロックＩＭＴでは、通電量の最終的な目標値である前輪、後輪目標通電量Ｉｔf*、Ｉｔr*（単に、「Ｉｔ」とも表記）が演算される。目標通電量Ｉｔは、指示通電量（目標値）Ｉｓ、及び、補償通電量（補償値）Ｉｆに基づいて演算される。具体的には、指示通電量Ｉｓに対して、補償通電量Ｉｆが加えられ、それらの和が目標通電量Ｉｔとして演算される（即ち、Ｉｔ＝Ｉｓ＋Ｉｆ）。
【００６６】
目標通電量演算ブロックＩＭＴでは、電気モータＭＴの回転すべき方向（即ち、液圧の増減方向）に基づいて、目標通電量Ｉｔ（Ｉｔf*、Ｉｔr*の総称）の符号（値の正負）が決定される。また、電気モータＭＴの出力すべき回転動力（即ち、液圧の増減量）に基づいて、目標通電量Ｉｔの大きさが演算される。具体的には、制動液圧を増加する場合（制御ピストンＳＰＳの前進方向）には、目標通電量Ｉｔの符号が正符号（Ｉｔ＞０）に演算され、電気モータＭＴが正転方向に駆動される。一方、制動液圧を減少させる場合（制御ピストンＳＰＳの後退方向）には、目標通電量Ｉｔの符号が負符号（Ｉｔ＜０）に決定され、電気モータＭＴが逆転方向に駆動される。さらに、目標通電量Ｉｔの絶対値が大きいほど電気モータＭＴの出力トルク（回転動力）が大きくなるように制御され、目標通電量Ｉｔの絶対値が小さいほど出力トルクが小さくなるように制御される。
【００６７】
＜３相ブラシレスモータ、及び、その駆動回路（３相ブラシレスモータの例）＞
図４の回路図を参照して、電気モータＭＴとして、Ｕ相コイルＣＬＵ、Ｖ相コイルＣＬＶ、及び、Ｗ相コイルＣＬＷの３つのコイル（巻線）を有する、３相ブラシレスモータが採用される例について説明する。
【００６８】
駆動回路ＤＲＶは、電気モータＭＴを駆動する電気回路であり、コントローラＥＣＵの一部に相当する。駆動回路ＤＲＶは、スイッチング制御部ＳＷＴ、３相ブリッジ回路（単に、ブリッジ回路ともいう）ＢＲＧ、及び、安定化回路ＬＰＦにて構成される。ブリッジ回路ＢＲＧは、６つのスイッチング素子（パワートランジスタ）ＳＵＸ、ＳＵＺ、ＳＶＸ、ＳＶＺ、ＳＷＸ、ＳＷＺ（「ＳＵＸ〜ＳＷＺ」とも表記）にて形成される。駆動回路ＤＲＶ内のスイッチング制御部ＳＷＴからの各相の駆動信号Ｓｕｘ、Ｓｕｚ、Ｓｖｘ、Ｓｖｚ、Ｓｗｘ、Ｓｗｚ（「Ｓｕｘ〜Ｓｗｚ」とも表記）に基づいて、ブリッジ回路ＢＲＧが駆動され、電気モータＭＴの出力が調整される。
【００６９】
駆動回路ＤＲＶでは、前輪、後輪目標通電量Ｉｔf*、Ｉｔr*に基づいて、各スイッチング素子ＳＵＸ〜ＳＷＺについてパルス幅変調を行うための駆動信号Ｓｕｘ〜Ｓｗｚが演算される。前輪、後輪電気モータＭＴf*、ＭＴr*には、前輪、後輪回転角Ｍｋf*、Ｍｋr*（単に、「Ｍｋ」とも表記）を検出するよう、前輪、後輪回転角センサＭＫf*、ＭＫr*（単に、「ＭＫ」とも表記）が設けられる。
【００７０】
目標通電量Ｉｔ、及び、回転角Ｍｋ（Ｍｋf*、Ｍｋr*の総称）に基づいて、各相（Ｕ相、Ｖ相、Ｗ相）の通電量の目標値Ｉｕｔ、Ｉｖｔ、Ｉｗｔが演算される。各相の目標通電量Ｉｕｔ、Ｉｖｔ、Ｉｗｔに基づいて、各相のパルス幅のデューティ比（一周期に対するオン時間の割合）Ｄｕｔ、Ｄｖｔ、Ｄｗｔが決定される。デューティ比（目標値）Ｄｕｔ、Ｄｖｔ、Ｄｗｔに基づいて、ブリッジ回路ＢＲＧを構成する各スイッチング素子ＳＵＸ〜ＳＷＺをオン状態（通電状態）にするか、或いは、オフ状態（非通電状態）にするかの駆動信号Ｓｕｘ〜Ｓｗｚが演算される。駆動信号Ｓｕｘ〜Ｓｗｚによって、駆動回路ＤＲＶのブリッジ回路ＢＲＧが駆動される。
【００７１】
６つの駆動信号Ｓｕｘ〜Ｓｗｚによって、６つのスイッチング素子ＳＵＸ〜ＳＷＺの通電、又は、非通電の状態が、個別に制御される。ここで、デューティ比が大きいほど、各スイッチング素子において、単位時間当りの通電時間が長くされ、より大きな電流がコイルに流される。結果、電気モータＭＴの回転動力が大とされる。
【００７２】
駆動回路ＤＲＶには、各相に通電量取得手段（例えば、電流センサ）ＩＭＡが備えられ、実際の通電量（各相の総称）Ｉｍａが取得（検出）される。各相の検出値（実際の電流値）Ｉｍａは、目標値Ｉｕｔ、Ｉｖｔ、Ｉｗｔと一致するよう、所謂、電流フィードバック制御が実行される。具体的には、実際の各通電量Ｉｍａと目標通電量Ｉｕｔ、Ｉｖｔ、Ｉｗｔとの偏差に基づいて、デューティ比Ｄｕｔ、Ｄｖｔ、Ｄｗｔが修正（微調整）される。この電流フィードバック制御によって、高精度なモータ制御が達成され得る。
【００７３】
駆動回路ＤＲＶは、電力源（蓄電池ＢＡＴ、発電機ＡＬＴ）から電力の供給を受ける。供給された電力（電圧）の変動を低減するために、駆動回路ＤＲＶには、安定化回路ＬＰＦが設けられる。安定化回路ＬＰＦは、少なくとも１つのコンデンサ（キャパシタ）、及び、少なくとも１つのインダクタ（コイル）の組み合わせにて構成され、所謂、ＬＣ回路である。
【００７４】
電気モータＭＴとして、ブラシレスモータに代えて、ブラシ付モータ（単に、ブラシモータともいう）が採用され得る。この場合、ブリッジ回路ＢＲＧとして、４つのスイッチング素子（パワートランジスタ）にて形成されるＨブリッジ回路が用いられる。即ち、ブラシモータのブリッジ回路ＢＲＧでは、ブラシレスモータの３つの相のうちの１つが省略される。ブラシレスモータの場合と同様に、電気モータＭＴには、回転角センサＭＫが設けられ、駆動回路ＤＲＶには、安定化回路ＬＰＦが設けられる。さらに、駆動回路ＤＲＶには、通電量センサＩＭＡが設けられる。
【００７５】
＜長期低負荷状態判定ブロックでの第１処理例＞
図５のフロー図を参照して、長期低負荷状態判定ブロックＣＨＫでの第１の処理例について説明する。ここで、「長期低負荷状態」とは、摩擦部材ＭＳＢが後輪の回転部材ＫＴr*を押圧する状況（所定の押圧範囲ｓｆｈ内である状況）が、所定の長時間に亘って継続されている状態である。この制動状態は、車輪の最大制動力を発生する負荷状態ではない。しかし、相対的に低い制動負荷状態が長時間に亘って続くため、長期低負荷状態では、後輪周りの制動部材（ＣＰ、ＭＳＢ等）が冷却され難い。従って、後輪制動部材（足回り部品）において熱的に厳しい負荷条件の１つである。
【００７６】
先ず、ステップＳ１００にて、初期設定が実行される。ステップＳ１００の処理では、後輪配分比率Ｈｂｎは、予め設定された初期値ｈｂｏに設定される。例えば、理想制動力配分ＣＲｓｏに近似した特性として、初期値ｈｂｏが設定され得る（ブロックＢ１６０参照）。理想制動力配分は、摩擦係数が異なる路面でも前後輪が同時にロックし、車両制動力が最大になる制動力配分である。換言すれば、理想制動力配分では、各車輪の動的荷重配分（車体に作用する加速度を考慮した車輪荷重）に沿って制動力が配分される。動的荷重配分は、車両諸元によって決定されるため、この諸元に基づいて、理想制動力配分は予め設定され得る。例えば、特性ＣＲｓｏは、演算特性ＣＰｆｏ、ＣＰｒｏに相当する（図３参照）。この際、動的荷重変動が考慮され、特性ＣＰｆｏは「下に凸」、特性ＣＰｒｏは「上に凸」の形状に設定される。
【００７７】
また、旋回制動時の車両安定性に着眼して、初期値ｈｂｏは、理想制動力配分ＣＲｓｏには沿うが、僅かに後輪制動力Ｆｂr*にマージンを残した特性として設定され得る。この場合の配分特性は、理想制動力配分ＣＲｓｏが、後輪制動力Ｆｂr*の方向に縮小された形状（特性ＣＲｓｏと特性ＣＨｂｎとの中間特性）となる。
【００７８】
ステップＳ１１０にて、制動操作量Ｂｐａが読み込まれる。次に、ステップＳ１２０にて、操作量Ｂｐａに基づいて、「操作量Ｂｐａが下方値ｂｐｘ以上であるか、否か」が判定される。ここで、下方値ｂｐｘは、判定に用いられる所定値（しきい値）であり、予め設定されている。「Ｂｐａ≧ｂｐｘ」であって、ステップＳ１２０が肯定される場合（「ＹＥＳ」の場合）には、ステップＳ１３０に進む。一方、「Ｂｐａ＜ｂｐｘ」であって、ステップＳ１２０が否定される場合（「ＮＯ」の場合）には、ステップＳ１１０に戻される。
【００７９】
ステップＳ１３０にて、制動操作量Ｂｐａに基づいて、「操作量Ｂｐａが上方値ｂｐｚ未満であるか、否か」が判定される。ここで、上方値ｂｐｚは、判定に用いられる所定値（しきい値）であり、下方値ｂｐｘよりも大きい値として、予め設定されている。「Ｂｐａ＜ｂｐｚ」であって、ステップＳ１３０が肯定される場合（「ＹＥＳ」の場合）には、ステップＳ１４０に進む。一方、「Ｂｐａ≧ｂｐｚ」であって、ステップＳ１３０が否定される場合（「ＮＯ」の場合）には、ステップＳ１１０に戻される。
【００８０】
ステップＳ１２０、Ｓ１３０の条件が満足される（即ち、「ｂｐｘ≦Ｂｐａ＜ｂｐｚ」であり、低負荷制動状態の場合）と、ステップＳ１４０にて、タイマ処理によって、時間のカウントが開始される。ここで、ステップＳ１３０の判定が初めて満足された時点（即ち、ステップＳ１３０が否定判定から肯定判定に遷移した演算周期）が、時間の起点（Ｔ＝０）に設定され、この起点からの経過時間Ｔｋｚが決定される。
【００８１】
ステップＳ１５０にて、「経過時間Ｔｋｚが所定時間ｔｆｘ以上であるか、否か」が判定される。ここで、所定時間ｔｆｘは、判定に用いられる所定値（しきい値）であり、予め設定されている。「Ｔｋｚ≧ｔｆｘ」であって、ステップＳ１５０が肯定される場合（「ＹＥＳ」の場合）には、ステップＳ１６０に進む。一方、「Ｔｋｚ＜ｔｆｘ」であって、ステップＳ１５０が否定される場合（「ＮＯ」の場合）には、ステップＳ１１０に戻される。
【００８２】
「ｂｐｘ≦Ｂｐａ＜ｂｐｚ」の状態が、所定時間ｔｆｘに亘って継続されると、ステップＳ１６０にて、比率Ｈｂｎが初期値ｈｂｏから減少され、下限値（予め設定された所定値）ｈｂｑに変更される。例えば、ブロックＢ１６０に示す、理想制動力配分特性ＣＲｓｏから、それよりも後輪制動力の配分が減少された配分特性ＣＨｂｎとなるよう、比率Ｈｂｎが初期値ｈｂｏから下限値ｈｂｑに減少される。ここで、初期比率ｈｂｏは、演算特性ＣＰｆｏ、ＣＰｒｏに対応し、比率Ｈｂｎが下限値ｈｂｑにまで減少して変更された後の演算特性が、特性ＣＰｆｃ、ＣＰｒｃに相当する（図３参照）。
【００８３】
ステップＳ１６０の処理が行われる前では、前輪、後輪制動力Ｆｂf*、Ｆｂr*は、ブロックＢ１６０（吹き出し部）の特性ＣＲｓｏに示すように、「点Ｐ：ｈｂｏ＝ｆｒｏ／（ｆｆｏ＋ｆｒｏ）」に決定されている。ステップＳ１６０の処理が実行されると、前輪、後輪制動力Ｆｂf*、Ｆｂr*は、ブロックＢ１６０の特性ＣＨｂｎに示すように、「点Ｑ：ｈｂｑ＝ｆｒｑ／（ｆｆｑ＋ｆｒｑ）」に変更される。
【００８４】
従って、後輪配分比率Ｈｂｎが減少して変更されることによって、前輪制動力Ｆｂf*と後輪制動力Ｆｂr*とが相対的に調整される。即ち、前輪制動力Ｆｂf*が値ｆｆｏから値ｆｆｑに増加され、後輪制動力Ｆｂr*が値ｆｒｏから値ｆｒｑに減少される。この制動力の調整は、運転者に違和感（例えば、車両減速度の不連続感）を与えないよう、滑らかに増加・減少される。
【００８５】
なお、ステップＳ１２０、及び、ステップＳ１３０の判定において、操作量Ｂｐａが、領域「ｂｐｘ〜ｂｐｚ」であることが、長期低負荷状態の説明における「所定の押圧範囲ｓｆｈ内」に相当する。さらに、ステップＳ１５０の判定において、所定時間ｔｆｘが、長期低負荷状態の説明における「所定の長時間」に相当する。また、後輪配分比率Ｈｂｎの減少は、前輪制動力の配分比率の増加と同義である。
【００８６】
長期低負荷状態判定ブロックでは、操作量Ｂｐａに基づいて、「摩擦部材ＭＳＢの後輪回転部材ＫＴr*の押圧状態が所定押圧範囲ｓｆｈ内であって、この押圧状態が所定時間に亘って継続されている、長期低負荷状態」であるか、否か、が判定される。長期低負荷状態が判定されない場合には、初期値ｈｂｏが採用される。即ち、高速走行からの急制動において短時間に強い制動力が付与される場合（長期低負荷の制動状態とは異なる、短期高負荷の制動状態）には、予め設定された総制動力（制動力Ｆｂf*と制動力Ｆｂr*の和）に対する後輪制動力Ｆｂr*の比率（後輪制動力の配分比）ｈｂｏが採用される。例えば、初期値ｈｂｏとして、所謂、理想制動力配分に近似する特性（演算特性ＣＲｓｏ）が採用され得る。
【００８７】
逆に、長期低負荷状態が判定される場合には、初期値ｈｂｏが変更され、車両の制動力全体に対する後輪制動力Ｆｂr*の比率Ｈｂｎが減少するように修正される。長時間に亘る、比較的弱い制動操作（長期低負荷の制動状態）では、後輪の制動装置（ＣＰ、ＭＳＢ等）に対して相対的に高い熱容量が要求される。従って、上記の長期低負荷状況が実際に発生した場合には、後輪の制動力が弱められ、熱容量に余裕のある前輪制動部材による制動力が増加される。このため、各種の制動操作において、前輪、後輪の制動装置の熱容量が制動力配分制御によって適正化されるため、制動制御装置全体で、小型・軽量化が達成され得る。
【００８８】
また、上記の短期高負荷の制動状態では、車両の安定性（例えば、横方向に偏向することなく、直進状態が維持されること）が望まれる。短期高負荷の制動状態では、予め設定された後輪制動力の配分比率（初期値）ｈｂｏが常に採用されるため、車両の安定性が確保され得る。
【００８９】
一方、長期低負荷の制動状態は、標高が高い所から、徐々に坂道を降る状況（即ち、降坂路等で長時間に亘って比較的低い制動力の発生が継続されている場合）で生じ易い。この状況では、車両重心は、僅かに後輪側から前輪側にシフトされ、後輪の垂直力が減少している。このため、総制動力（車両全体の制動力の総和）に対する後輪制動力Ｆｂr*の比率Ｈｂｎが、初期値ｈｂｏから下限値ｈｂｑに減少される。この配分の修正（例えば、特性ＣＲｓｏから特性ＣＨｂｎへの変更）によって、相対的に、後輪制動力Ｆｂr*が弱められ、前輪制動力Ｆｂf*が増加される。結果、坂路勾配に起因する軸荷重変動に対応した制動力の前後配分が達成され得る。さらに、下り勾配のつづら折れ（特に、ヘアピンカーブ）では、後輪の横力が確保されることが要求される。このような走行状態において、後輪制動力の比率Ｈｂｎが減少されているため、十分な後輪横力が確保され、車両の安定性が維持され得る。
【００９０】
以上で説明した、長期低負荷状態判定ブロックＣＨＫでの第１処理例では、操作量Ｂｐａに基づいて、長期低負荷状態であるか、否かの判定が行われるが、操作量Ｂｐａに代えて、目標液圧Ｐｔr*（目標値）、及び、検出液圧Ｐｃr*（実際値）のうちの少なくとも１つに基づいて、該判定が実行され得る。目標液圧Ｐｔr*は、操作量Ｂｐａに基づいて演算されるため、長期低負荷状態であるか、否かの判定は、制動操作量Ｂｐａ、及び、後輪アクチュエータＣＡr*の出力Ｐｃr*のうちの少なくとも１つに基づいて行われ得る。目標液圧Ｐｔr*、実際の液圧Ｐｃr*が採用されても、上記同様の効果を奏する。
【００９１】
＜長期低負荷状態判定ブロックでの第２処理例＞
図６のフロー図を参照して、長期低負荷状態判定ブロックＣＨＫでの第２の処理例について説明する。第１の処理例では、操作量Ｂｐａ等の大小関係で長期低負荷状態が判定されるが、第２の処理例では、操作量Ｂｐａ等の出現頻度が解析されることによって、長期低負荷状態の判定が行われる。
【００９２】
先ず、ステップＳ２００にて、ステップＳ１００と同様の初期設定が行われる。即ち、後輪配分比率Ｈｂｎは、予め設定された初期比率ｈｂｏに設定される。例えば、理想制動力配分ＣＲｓｏに近似した特性、又は、理想制動力配分ＣＲｓｏに沿い、且つ、後輪制動力に余裕を持たせた上記中間特性に、初期値ｈｂｏが設定され得る。
【００９３】
ステップＳ２１０にて、今回の演算周期における、操作量Ｂｐａが読み込まれ、記憶される。次に、ステップＳ２２０にて、過去に記憶された操作量Ｂｐａ（複数のデータ）が読み出される。ここで読み出される操作量Ｂｐａは、一連の制動操作における（今回の制動操作を開始した時点から、記憶されている）データである。
【００９４】
ステップＳ２３０にて、時系列の複数操作量Ｂｐａに基づいて、その出現頻度が解析される。操作量Ｂｐａの大きさに基づいて、複数データが分類される。そして、繰り返して起こる度数が、操作量Ｂｐａの出現頻度としてカウントされる。具体的には、斜線のバーグラフで示す、所定の下方値ｂｐｘから所定の上方値ｂｐｚまでの出現頻度（全解析データに占める割合）Ｈｎｄが演算される。ここで、下方値ｂｐｘから上方値ｂｐｚまでの範囲が、所定の押圧範囲ｓｆｈに相当する。従って、出現頻度Ｈｎｄは、記憶された複数の操作量Ｂｐａにおいて、所定押圧範囲ｓｆｈ内に発生する度数である。
【００９５】
ステップＳ２４０にて、解析された頻度Ｈｎｄに基づいて、「出現頻度Ｈｎｄが所定頻度ｈｎｘ以上であるか、否か」が判定される。ここで、所定頻度ｈｎｘは、判定に用いられる所定値（しきい値）であり、予め設定されている。「Ｈｎｄ≧ｈｎｘ」であって、ステップＳ２４０が肯定される場合（「ＹＥＳ」の場合）には、ステップＳ２５０に進む。一方、「Ｈｎｄ＜ｈｎｘ」であって、ステップＳ２４０が否定される場合（「ＮＯ」の場合）には、ステップＳ２１０に戻される。
【００９６】
第１の処理例と同様に、ステップＳ２５０にて、タイマ処理によって、時間のカウントが開始される。具体的には、ステップＳ２４０の判定が初めて満足された時点（即ち、ステップＳ２４０が否定判定から肯定判定に遷移した演算周期）が、時間の起点（Ｔ＝０）に設定され、この起点からの経過時間Ｔｋｚがカウントされる。
【００９７】
ステップＳ２６０にて、「経過時間Ｔｋｚが所定時間ｔｆｘ以上であるか、否か」が判定される。ここで、所定時間ｔｆｘ（長期低負荷状態の説明における「所定の長時間」に相当）は、判定に用いられる所定値（しきい値）であり、予め設定されている。「Ｔｋｚ≧ｔｆｘ」であって、ステップＳ２６０が肯定される場合（「ＹＥＳ」の場合）には、ステップＳ２７０に進む。一方、「Ｔｋｚ＜ｔｆｘ」であって、ステップＳ２６０が否定される場合（「ＮＯ」の場合）には、ステップＳ２１０に戻される。
【００９８】
「ｂｐｘ≦Ｂｐａ＜ｂｐｚ」を満足する出現頻度Ｈｎｄが所定頻度ｈｎｘ以上である状態が、所定時間ｔｆｘに亘って継続されると、ステップＳ２７０にて、後輪配分比率Ｈｂｎが初期値ｈｂｏから減少され、下限値ｈｂｑ（＜ｈｂｏ）に変更される。例えば、ブロックＢ２７０に示す、理想制動力配分の特性ＣＲｓｏから、それよりも後輪配分が減少された制動力配分特性ＣＨｂｎとなるよう、後輪配分比率Ｈｂｎが、初期値ｈｂｏから、初期値ｈｂｏよりも小さい値（予め設定された下限値）ｈｂｑに減少される。
【００９９】
ステップＳ１６０のブロックＢ１６０にて説明したように、ステップＳ２７０のブロックＢ２７０（吹き出し部）に示すように、前輪制動力Ｆｂf*が値ｆｆｏから値ｆｆｑまで、円滑に増加され、後輪制動力Ｆｂr*が値ｆｒｏから値ｆｒｑまで、滑らかに減少される（点Ｐの状態から点Ｑの状態への遷移）。即ち、後輪制動力Ｆｂr*が相対的に減少され、前輪制動力Ｆｂf*が相対的に増加される。ここで、初期値ｈｂｏは、演算特性ＣＰｆｏ、ＣＰｒｏに対応し、比率Ｈｂｎが下限値ｈｂｑにまで減少して変更された後の演算特性が、特性ＣＰｆｃ、ＣＰｒｃに相当する（図３参照）。
【０１００】
また、破線で示す演算特性ＣＨｂｐのように、所定範囲ｓｆｈの出現頻度Ｈｎｄが増加するに従って、後輪配分比率Ｈｂｎが減少するように決定され得る。この場合、出現頻度Ｈｎｄが所定頻度ｈｎｘと等しくなった時点で、後輪配分比率Ｈｂｎが初期値ｈｂｏから、予め設定された所定値（中間値）ｈｂｐに急減される。そして、頻度Ｈｎｄが所定頻度ｈｎｘよりも大きい値である上限値ｈｎｚまで、頻度Ｈｎｄの増加に従って、後輪配分比率Ｈｂｎは中間値ｈｂｐから下限値ｈｂｑに向けて単調減少される（ステップＳ２７０の特性ＣＨｂｐを参照）。
【０１０１】
第１処理例と同様に、第２処理例でも、操作量Ｂｐａの出現頻度Ｈｎｄに代えて、目標液圧Ｐｔr*（目標値）、及び、実液圧Ｐｃr*（検出値）のうちの少なくとも１つの出現頻度Ｈｎｄに基づいて、長期低負荷状態であるか、否かの判定が行われる。目標液圧Ｐｔr*は、操作量Ｂｐａに基づいて演算されるため、換言すれば、操作量Ｂｐａ、及び、実際の液圧Ｐｃr*（後輪出力）のうちの少なくとも１つに基づいて、長期低負荷状の判定が行われ得る。
【０１０２】
第２の処理例でも、第１の処理例と同様の効果を奏する。即ち、短期高負荷の制動状態の状況には、予め設定された初期値ｈｂｏが採用されため、車両の安定性が確保され得る。長期低負荷の制動状態の状況では、所定押圧範囲ｓｆｈ内にある頻度Ｈｎｄに基づいて、長期低負荷状態が判定され、後輪配分比率Ｈｂｎが減少される。このため、後輪の制動力Ｆｂr*が弱められ、熱容量に余裕のある前輪制動装置による制動力Ｆｂf*が増加され、熱容量が適正化されるとともに、下り坂の勾配に起因する後輪荷重の低下に対応した制動力配分が達成され得る。
【０１０３】
＜制動制御装置の他の実施形態＞
図１等を参照して説明した実施形態では、電気モータＭＴによって駆動される、２つの調圧ユニットＣＡによって、４輪のホイールシリンダＷＣの液圧が制御される。しかしながら、本発明に係る制動制御装置に要求されることは、車両の前後車輪において、制動力の配分が変更し得ることである。
【０１０４】
従って、制動制御装置の構成として、特開２０１５−７１３８２号公報に記載されるような「１つの電気モータで液圧が発生され、電磁弁で各車輪の制動力が制御されるもの」、特開２０１０−１３０１４号公報に記載されるような「アキュムレータに蓄えられた液圧が電磁弁によって調整され、各車輪の制動力が制御されるもの」、特開２０１４−５１１９７号公報に記載されるような「流体を利用しない電動制動アクチュエータによって制動力が制御されるもの」等が採用され得る。このような制動制御装置の構成が採用された場合でも、長期低負荷状態が判定され、比率Ｈｂｎが減少されることによって、上記同様の効果が得られる。なお、流体を利用しない電動制動アクチュエータが採用される場合には、液圧センサＰＣに代えて、摩擦部材ＭＳＢが回転部材ＫＴを押圧する力を検出する押圧力センサが、前輪、後輪センサとして採用される。
【符号の説明】
【０１０５】
ＢＰ…制動操作部材、ＢＰＡ…操作量センサ、ＣＡ…調圧ユニット（前輪、後輪アクチュエータ）、ＰＣ…制御液圧センサ（前輪、後輪センサ）、ＭＴ…電気モータ、ＭＫ…回転角センサ、ＥＣＵ…コントローラ、ＣＰ…キャリパ、ＫＴ…回転部材、ＭＳＢ…摩擦部材、Ｈｂｎ…後輪制動力の比率。
【図１】
0006508128.tif 000002
【図２】
0006508128.tif 000003
【図３】
0006508128.tif 000004
【図４】
0006508128.tif 000005
【図５】
0006508128.tif 000006
【図６】
0006508128.tif 000007